(57)【要約】      （修正有）【課題】複数人が複数の２Ｄまたは３Ｄコンテンツを視聴することができるディスプレイ装置を提供し、他のユーザに被害を与えずに、簡単かつ効率的に視聴しているコンテンツを変更できる映像ディスプレイ装置、映像ディスプレイ方法及びメガネ装置を提供する。【解決手段】映像ディスプレイ装置は、２Ｄコンテンツまたは３Ｄコンテンツの映像フレームを構成することができる信号処理部と、信号処理部から出力された２Ｄコンテンツの映像フレームをディスプレイ部に表示する第１モード、または、信号処理部から出力された３Ｄコンテンツの映像フレームをディスプレイ部に表示する第２モードで動作することができる出力部と、ユーザ命令を受信するインターフェース部と、インターフェース部を介して受信された第１モード及び第２モードのいずれか一方で動作するためのモード切り替え命令に応じて、モードを切り替えて出力するように制御する制御部とを含む。【選択図】図６
2014017820.tif 000002
【特許請求の範囲】
【請求項１】
ディスプレイ部に表示される映像を処理するための映像ディスプレイ装置において、
２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成することができる信号処理部と、
前記信号処理部から出力された前記２Ｄコンテンツの映像フレームを前記ディスプレイ部に表示する第１モード、または、前記信号処理部から出力された前記３Ｄコンテンツの映像フレームを前記ディスプレイ部に表示する第２モードで動作することができる出力部と、
ユーザ命令を受信するインターフェース部と、
前記インターフェース部を介して受信された前記第１モード及び前記第２モードのいずれか一方で動作するためのモード切り替え命令に応じて、モードを切り替えて出力するように制御する制御部と
を含む映像ディスプレイ装置。
【請求項２】
前記第１モードは、
一つの２Ｄコンテンツの映像フレームを順次に出力する２Ｄシングルビューモード、及び複数の２Ｄコンテンツの映像フレームを交互に出力する２Ｄマルチビューモードのいずれか一方であることを特徴とする請求項１に記載の映像ディスプレイ装置。
【請求項３】
前記第２モードは、
一つの３Ｄコンテンツの左眼映像フレームと右眼映像フレームとを交互に出力する３Ｄシングルビューモード、及び複数の３Ｄコンテンツそれぞれの左眼映像フレームと右眼映像フレームとを交互に出力する３Ｄマルチビューモードのいずれか一方であることを特徴とする請求項１に記載の映像ディスプレイ装置。
【請求項４】
前記制御部は、
前記第１モードの縮小画面及び前記第２モードの縮小画面とともに、モード切り替えのためのＯＳＤ（Ｏｎ  Ｓｃｒｅｅｎ  Ｄｉｓｐｌａｙ）メニューを出力するように制御し、
前記モード切り替え命令は、前記メニューで現在のモードと異なるモードを選択する入力であることを特徴とする請求項１に記載の映像ディスプレイ装置。
【請求項５】
前記インターフェース部を介して前記モード切り替え命令が受信される場合、
前記制御部は、
モード切り替えに対する同意可否を問うメッセージを出力し、前記インターフェース部を介してモード切り替え同意メッセージが受信される場合、モードを切り替えて出力するように制御することを特徴とする請求項１に記載の映像ディスプレイ装置。
【請求項６】
前記モード切り替え命令がリモコンから受信される場合、
前記制御部は、
前記モード切り替えに対する同意可否を問うメッセージを出力せずに、モードを切り替えて出力するように制御することを特徴とする請求項１に記載の映像ディスプレイ装置。
【請求項７】
前記モードが切り替わり、切り替わったモードで複数のコンテンツが受信される場合、
前記制御部は、
前記複数のコンテンツのうちのいずれか一つを選択することができるメニューを出力し、メニューで選択されたコンテンツに対応する同期化信号を前記モード切り替え命令を伝送したメガネ装置に伝送するように制御することを特徴とする請求項５または６に記載の映像ディスプレイ装置。
【請求項８】
前記インターフェース部を介して視聴環境設定命令が受信される場合、
前記制御部は、
視聴環境設定に対する同意可否を問うメッセージを出力し、前記インターフェース部を介して視聴環境設定同意メッセージが受信される場合、前記視聴環境設定命令に応じて視聴環境を設定し、前記２Ｄコンテンツまたは前記３Ｄコンテンツの映像フレームを出力するように制御することを特徴とする請求項１に記載の映像ディスプレイ装置。
【請求項９】
前記視聴環境設定命令がリモコンから受信される場合、
前記制御部は、
前記視聴環境設定に対する同意可否を問うメッセージを出力せずに、視聴環境を設定して出力するように制御することを特徴とする請求項８に記載の映像ディスプレイ装置。
【請求項１０】
前記視聴環境は、デプス（ｄｅｐｔｈ）、明度（ｂｒｉｇｈｔｎｅｓｓ）、コントラスト（ｃｏｎｔｒａｓｔ）、解像度（ｒｅｓｏｌｕｔｉｏｎ）及びマスターボリューム（ｍａｓｔｅｒ  ｖｏｌｕｍｅ）のうち、少なくとも一つであることを特徴とする請求項８または９に記載の映像ディスプレイ装置。
【請求項１１】
映像ディスプレイ方法はにおいて、
２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成するステップと、
前記２Ｄコンテンツの映像フレームをディスプレイする第１モード、または、前記３Ｄコンテンツの映像フレームをディスプレイする第２モードで、前記２Ｄコンテンツまたは前記３Ｄコンテンツの映像フレームを出力するステップと、
前記第１モード及び前記第２モードのいずれか一方で動作するためのモード切り替え命令を受信するステップと、
前記受信されたモード切り替え命令に応じて、モードを切り替えて前記２Ｄコンテンツまたは前記３Ｄコンテンツの映像フレームを出力するステップと
を含む映像ディスプレイ方法。
【請求項１２】
前記第１モードは、
一つの２Ｄコンテンツの映像フレームを順次に出力する２Ｄシングルビューモード、及び複数の２Ｄコンテンツの映像フレームを交互に出力する２Ｄマルチビューモードのいずれか一方であることを特徴とする請求項１１に記載の映像ディスプレイ方法。
【請求項１３】
前記第２モードは、
一つの３Ｄコンテンツの左眼映像フレームと右眼映像フレームとを交互に出力する３Ｄシングルビューモード、及び複数の３Ｄコンテンツそれぞれの左眼映像フレームと右眼映像フレームとを交互に出力する３Ｄマルチビューモードのいずれか一方であることを特徴とする請求項１１に記載の映像ディスプレイ方法。
【請求項１４】
前記モード切り替え命令が受信される場合、モード切り替えに対する同意可否を問うメッセージを出力するステップを更に含み、
前記モードを切り替えて出力するステップは、
モード切り替え同意メッセージが受信される場合、モードを切り替えて出力することを特徴とする請求項１１に記載の映像ディスプレイ方法。
【請求項１５】
前記モード切り替え命令がリモコンから受信される場合、前記モード切り替えに対する同意可否を問うメッセージを出力せずに、モードを切り替えて出力することを特徴とする請求項１４に記載の映像ディスプレイ方法。
【発明の詳細な説明】
【技術分野】
【０００１】
本発明は、映像ディスプレイ装置、映像ディスプレイ方法及びメガネ装置に関し、より詳細には、２Ｄ映像と３Ｄ映像とをディスプレイしたり、視聴することができる映像ディスプレイ装置、映像ディスプレイ方法及びメガネ装置に関する。
【背景技術】
【０００２】
デジタル技術の発達により、多様な電子製品が開発及び普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、従来にはない新たな機能を備えた商品が続々登場している。
【０００４】
特に、近来は、一つのディスプレイ装置で複数のユーザが自分の望むコンテンツを視聴できるようにする技術に対するニーズが高い。なお、より臨場感のある映像を視聴するために、立体感を感じることができる３Ｄ（３−Ｄｉｍｅｎｓｉｏｎａｌ）映像ディスプレイ技術が登場している。
【０００５】
しかしながら、２Ｄと３Ｄとを交互に視聴したり、複数人が複数の２Ｄまたは３Ｄコンテンツを視聴することができるディスプレイ装置はまだ登場していない。このようなディスプレイ装置の登場を前提に、他のユーザに被害を与えずに、従来のテレビチャネル変更のように、簡単かつ効率的に視聴しているコンテンツを変更できる方策が求められる。
【先行技術文献】
【特許文献】
【０００６】
【特許文献１】米国特開第２０１３−０１２７９９０号公報
【特許文献２】米国特開第２０１２−０１８８２３５号公報
【発明の概要】
【発明が解決しようとする課題】
【０００７】
そこで、本発明は、上記問題に鑑みてなされたものであり、本発明の目的とするところは、複数人が複数の２Ｄまたは３Ｄコンテンツを視聴することができるディスプレイ装置を提供し、他のユーザに被害を与えずに、従来のテレビチャネル変更のように、簡単かつ効率的に視聴しているコンテンツを変更できる映像ディスプレイ装置、映像ディスプレイ方法及びメガネ装置を提供することにある。
【課題を解決するための手段】
【０００８】
以上のような目的を達成するための本発明の一実施形態に係る映像ディスプレイ装置は、ディスプレイ部に表示される映像を処理するための映像ディスプレイ装置において、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成することができる信号処理部と、前記信号処理部から出力された前記２Ｄコンテンツの映像フレームを前記ディスプレイ部に表示する第１モード、または、前記信号処理部から出力された前記３Ｄコンテンツの映像フレームを前記ディスプレイ部に表示する第２モードで動作することができる出力部と、ユーザ命令を受信するインターフェース部と、前記インターフェース部を介して受信された前記第１モード及び前記第２モードのいずれか一方で動作するためのモード切り替え命令に応じて、モードを切り替えて出力するように制御する制御部とを含む。
【０００９】
なお、前記第１モードは、一つの２Ｄコンテンツの映像フレームを順次に出力する２Ｄシングルビューモード、及び複数の２Ｄコンテンツの映像フレームを交互に出力する２Ｄマルチビューモードのいずれか一方であってよい。
【００１０】
なお、前記第２モードは、一つの３Ｄコンテンツの左眼映像フレームと右眼映像フレームとを交互に出力する３Ｄシングルビューモード、及び複数の３Ｄコンテンツそれぞれの左眼映像フレームと右眼映像フレームとを交互に出力する３Ｄマルチビューモードのいずれか一方であってよい。
【００１１】
前記制御部は、前記第１モードの縮小画面及び前記第２モードの縮小画面とともに、モード切り替えのためのＯＳＤ（Ｏｎ  Ｓｃｒｅｅｎ  Ｄｉｓｐｌａｙ）メニューを出力するように制御し、前記モード切り替え命令は、前記メニューで現在のモードと異なるモードを選択する入力であってよい。
【００１２】
なお、前記インターフェース部を介して前記モード切り替え命令が受信される場合、前記制御部は、モード切り替えに対する同意可否を問うメッセージを出力し、前記インターフェース部を介してモード切り替え同意メッセージが受信される場合、モードを切り替えて出力するように制御してよい。
【００１３】
なお、前記モード切り替え命令がリモコンから受信される場合、前記制御部は、前記モード切り替えに対する同意可否を問うメッセージを出力せずに、モードを切り替えて出力するように制御してよい。
【００１４】
なお、前記モードが切り替わり、切り替わったモードで複数のコンテンツが受信される場合、前記制御部は、前記複数のコンテンツのうちのいずれか一つを選択することができるメニューを出力し、メニューで選択されたコンテンツに対応する同期化信号を前記モード切り替え命令を伝送したメガネ装置に伝送するように制御してよい。
【００１５】
なお、前記インターフェース部を介して視聴環境設定命令が受信される場合、前記制御部は、視聴環境設定に対する同意可否を問うメッセージを出力し、前記インターフェース部を介して視聴環境設定同意メッセージが受信される場合、前記視聴環境設定命令に応じて視聴環境を設定し、前記２Ｄコンテンツまたは前記３Ｄコンテンツの映像フレームを出力するように制御してよい。
【００１６】
なお、前記視聴環境設定命令がリモコンから受信される場合、前記制御部は、前記視聴環境設定に対する同意可否を問うメッセージを出力せずに、視聴環境を設定して出力するように制御してよい。
【００１７】
なお、前記視聴環境は、デプス（ｄｅｐｔｈ）、明度（ｂｒｉｇｈｔｎｅｓｓ）、コントラスト（ｃｏｎｔｒａｓｔ）、解像度（ｒｅｓｏｌｕｔｉｏｎ）及びマスターボリューム（ｍａｓｔｅｒ  ｖｏｌｕｍｅ）のうち、少なくとも一つであってよい。
【００１８】
以上のような目的を達成するための本発明の一実施形態に係る映像ディスプレイ方法は、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成するステップと、前記２Ｄコンテンツの映像フレームをディスプレイする第１モード、または、前記３Ｄコンテンツの映像フレームをディスプレイする第２モードで、前記２Ｄコンテンツまたは前記３Ｄコンテンツの映像フレームを出力するステップと、前記第１モード及び前記第２モードのいずれか一方で動作するためのモード切り替え命令を受信するステップと、前記受信されたモード切り替え命令に応じて、モードを切り替えて前記２Ｄコンテンツまたは前記３Ｄコンテンツの映像フレームを出力するステップとを含む。
【００１９】
なお、前記第１モードは、一つの２Ｄコンテンツの映像フレームを順次に出力する２Ｄシングルビューモード、及び複数の２Ｄコンテンツの映像フレームを交互に出力する２Ｄマルチビューモードのいずれか一方であってよい。
【００２０】
なお、前記第２モードは、一つの３Ｄコンテンツの左眼映像フレームと右眼映像フレームとを交互に出力する３Ｄシングルビューモード、及び複数の３Ｄコンテンツそれぞれの左眼映像フレームと右眼映像フレームとを交互に出力する３Ｄマルチビューモードのいずれか一方であってよい。
【００２１】
なお、前記モード切り替え命令が受信される場合、モード切り替えに対する同意可否を問うメッセージを出力するステップを更に含み、前記モードを切り替えて出力するステップは、モード切り替え同意メッセージが受信される場合、モードを切り替えて出力してよい。
【００２２】
なお、前記モード切り替え命令がリモコンから受信される場合、前記モード切り替えに対する同意可否を問うメッセージを出力せずに、モードを切り替えて出力してよい。
【００２３】
なお、前記モードが切り替わり、切り替わったモードで複数のコンテンツが受信される場合、前記複数のコンテンツのうちのいずれか一つを選択することができるメニューを出力し、メニューで選択されたコンテンツに対応する同期化信号を前記モード切り替え命令を伝送したメガネ装置に伝送するステップを更に含んでよい。
【００２４】
なお、視聴環境設定命令が受信される場合、視聴環境設定に対する同意可否を問うメッセージを出力するステップと、前記視聴環境設定同意メッセージが受信される場合、前記視聴環境設定命令に応じて視聴環境を設定し、前記２Ｄコンテンツまたは前記３Ｄコンテンツの映像フレームを出力するステップとを更に含んでよい。
【００２５】
なお、前記視聴環境設定命令がリモコンから受信される場合、前記視聴環境設定に対する同意可否を問うメッセージを出力せずに、前記視聴環境設定命令に応じて視聴環境を設定し、前記２Ｄコンテンツまたは前記３Ｄコンテンツの映像フレームを出力してよい。
【００２６】
なお、前記視聴環境は、デプス（ｄｅｐｔｈ）、明度（ｂｒｉｇｈｔｎｅｓｓ）、コントラスト（ｃｏｎｔｒａｓｔ）、解像度（ｒｅｓｏｌｕｔｉｏｎ）及びマスターボリューム（ｍａｓｔｅｒ  ｖｏｌｕｍｅ）のうち、少なくとも一つであってよい。
【００２７】
以上のような目的を達成するための本発明の一実施形態に係るメガネ装置は、映像ディスプレイ装置とペアリングして２Ｄコンテンツまたは３Ｄコンテンツを視聴することができるメガネ装置において、映像ディスプレイ装置と通信を行う通信インターフェース部と、第１シャッタグラス部と、第２シャッタグラス部と、前記映像ディスプレイ装置が２Ｄコンテンツの映像フレームをディスプレイする第１モードまたは３Ｄコンテンツの映像フレームをディスプレイする第２モードのいずれか一方で動作するためのモード切り替え命令を入力される入力部と、前記第１モードのディスプレイタイミングまたは前記第２モードのディスプレイタイミングに応じて、前記第１シャッタグラス部及び前記第２シャッタグラス部をオン（ｏｎ）またはオフ（ｏｆｆ）し、前記入力部を介して前記モード切り替え命令が入力される場合、前記モード切り替え命令を前記映像ディスプレイ装置に伝送するように制御する制御部とを含む。
【発明の効果】
【００２８】
以上説明したように、本発明によれば、複数人が複数の２Ｄまたは３Ｄコンテンツを視聴することができるディスプレイ装置を提供し、他のユーザに被害を与えずに、従来のテレビチャネル変更のように、簡単かつ効率的に視聴しているコンテンツを変更することができるようになる。
【図面の簡単な説明】
【００２９】
【図１】本発明の一実施形態に係るコンテンツ提供システムの構成を示す概念図である。
【図２】本発明の一実施形態に係るコンテンツ提供システムの構成を示す概念図である。
【図３】本発明の一実施形態に係るコンテンツ提供システムの構成を示す概念図である。
【図４】本発明の多様な実施形態に係る同期化信号伝送方法を説明するための図である。
【図５】本発明の多様な実施形態に係る同期化信号伝送方法を説明するための図である。
【図６】本発明の実施形態に係る映像ディスプレイ装置の構成を示すブロック図である。
【図７】本発明の詳細な構成を示すブロック図である。
【図８】本発明の詳細な構成を示すブロック図である。
【図９】本発明の一実施形態によってモード切り替え命令を伝送するディスプレイ画面を示す参考図である。
【図１０】問題を解決するための本発明の別の実施形態を示す参考図である。
【図１１】問題を解決するための本発明の別の実施形態を示す参考図である。
【図１２】問題を解決するための本発明の別の実施形態を示す参考図である。
【図１３】現在モードと切り替わるモードとの特定に応じて、モード切り替え同意可否を問うメッセージが必要かを示す表を示す参考図である。
【図１４】視聴環境設定命令が受信される場合、映像ディスプレイ装置の動作を示す参考図である。
【図１５】視聴環境設定命令が受信される場合、映像ディスプレイ装置の動作を示す参考図である。
【図１６】本発明の更に別の実施形態に係る映像ディスプレイ方法を示すフローチャートである。
【図１７】本発明の更に別の実施形態に係る映像ディスプレイ方法を示すフローチャートである。
【図１８】本発明の更に別の実施形態に係る映像ディスプレイ方法を示すフローチャートである。
【図１９】本発明の更に別の実施形態に係る映像ディスプレイ方法を示すフローチャートである。
【図２０】本発明の更に別の実施形態に係る映像ディスプレイ方法を示すフローチャートである。
【図２１】本発明の更に別の実施形態に係る映像ディスプレイ方法を示すフローチャートである。
【図２２】本発明の多様な実施形態に係るメガネ装置の構成を示すブロック図である。
【図２３】多様な入力部を含むメガネ装置の実施形態を示す参考図である。
【図２４】多様な入力部を含むメガネ装置の実施形態を示す参考図である。
【発明を実施するための形態】
【００３０】
以下に添付図面を参照しながら、本発明の好適な実施形態について詳細に説明する。
【００３１】
映像ディスプレイ装置１００の構成
図１ないし図３は、本発明の一実施形態に係るコンテンツ提供システムの構成を示す概念図である。図１ないし図３に示すように、コンテンツ提供システムは、映像ディスプレイ装置１００とメガネ装置２００とを含む。
【００３２】
映像ディスプレイ装置１００は、ディスプレイモードに応じて、２Ｄ（２−Ｄｉｍｅｎｓｉｏｎａｌ）コンテンツまたは３Ｄ（３−Ｄｉｍｅｎｓｉｏｎａｌ）コンテンツをディスプレイする。映像ディスプレイ装置１００は、２Ｄコンテンツの映像フレームをディスプレイ部に表示する第１モード、または、３Ｄコンテンツの映像フレームをディスプレイ部に表示する第２モードで動作することができる。３Ｄコンテンツは、同一の客体（ｏｂｊｅｃｔ）を互いに異なる観点から写した多時点映像を用いてユーザが立体感を感じることができるようにするコンテンツを意味する。それに対し、２Ｄコンテンツは、一つの時点で表現された映像フレームで構成されたコンテンツを意味する。３Ｄコンテンツは、立体感の程度を示すデプス（ｄｅｐｔｈ）情報を含む。
【００３３】
ここで、コンテンツは、ＶｏＤ（Ｖｉｄｅｏ  Ｏｎ  Ｄｅｍａｎｄ）コンテンツ、プレミアムＶｏＤコンテンツ、放送コンテンツ、インターネットコンテンツ、ローカルファイル、ＤＬＮＡネットワークで接続された外部コンテンツ等、予め製作されたコンテンツであってよい。しかし、それに限定されず、録画放送コンテンツ、リアルタイム放送コンテンツ等も可能である。
【００３４】
第１モードは、一つの２Ｄコンテンツの映像フレームを順次に出力して２Ｄシングルビューモード及び複数の２Ｄコンテンツの映像フレームを交互に出力する２Ｄマルチビューモードのいずれか一方であってよい。
【００３５】
ここで、順次に出力されるとは、コンテンツを構成する映像フレームを一定の時間間隔を隔てて順にディスプレイ部に表示することを意味する。例えば、２Ｄコンテンツの映像フレームＡ、Ｂ、Ｃ、Ｄ、…、Ｚがある場合、一定の時間間隔を隔ててＡ、Ｂ、Ｃ、Ｄ、…、Ｚをディスプレイする場合である。
【００３６】
一方、交互にディスプレイするとは、一つのコンテンツの映像フレームを先にディスプレイし、続いて他のコンテンツの映像フレームをディスプレイする方式で、交互に異なるコンテンツに関する映像フレームをディスプレイすることを意味する。例えば、一つのコンテンツの映像フレームがＡ、Ｂ、Ｃ、Ｄ、…、Ｚであり、他のコンテンツの映像フレームがａ、ｂ、ｃ、ｄ、…、ｚである場合、Ａ、ａ、Ｂ、ｂ、Ｃ、ｃ、…、Ｚ、ｚのような順に映像フレームをディスプレイする場合である。
【００３７】
図示はしていないが、２Ｄシングルビューモードは、映像ディスプレイ装置は一つの２Ｄコンテンツの映像フレームを順次にディスプレイすることができる。この場合、後述のメガネ装置なしにも２Ｄコンテンツを視聴することができる。
【００３８】
図１の場合、複数個の２Ｄコンテンツを交互にディスプレイする２Ｄマルチモードの例を示している。
【００３９】
図１を参照すると、映像ディスプレイ装置１００は、複数の２Ｄコンテンツ（コンテンツＡ、Ｂ）を交互にディスプレイし、各コンテンツに対応するメガネ装置１、２（２００−１、２００−２）を同期化させる同期化信号を生成してメガネ装置１、２（２００−１、２００−２）に伝送する。
【００４０】
この場合、メガネ装置１（２００−１）は、同期化信号に応じて一つのコンテンツＡがディスプレイされる時、左側シャッタグラス及び右側シャッタグラスの両方をオープンさせ、他コンテンツＢがディスプレイされる時、左側シャッタグラス及び右側シャッタグラスの両方をオフさせるように動作できる。それにより、メガネ装置１（２００−１）を着用した視聴者１（ｖｉｅｗｅｒ１）は、交互にディスプレイされる複数のコンテンツＡ、Ｂのうち、メガネ装置１（２００−１）と同期化した一つのコンテンツＡのみを視聴できる。同様の方式で、メガネ装置２（２００−２）を着用した視聴者２（ｖｉｅｗｅｒ２）は、コンテンツＢのみを視聴できる。互いに異なる２Ｄコンテンツの映像フレームの交互でのディスプレイは非常に早いスピードで行われ、レンズが閉鎖される間、網膜の残像効果は持続するため、ユーザには自然な映像を写すようになる。
【００４１】
第２モードは、一つの３Ｄコンテンツの左眼映像フレームと右眼映像フレームとを交互に出力する３Ｄシングルビューモード及び複数の３Ｄコンテンツそれぞれの左眼映像フレームと右眼映像フレームとを交互に出力する３Ｄマルチビューモードのうち、いずれか一方であってよい。
【００４２】
図２は、本発明の別の実施形態によって第２モードで一つの３Ｄコンテンツを提供する方法を説明するための図である。
【００４３】
図２に示すように、３Ｄコンテンツは、左眼映像フレーム（Ｌ）と右眼映像フレーム（Ｒ）とを交互にディスプレイすることができる。この場合、交互にディスプレイ  するとは、一つの３Ｄコンテンツに対して左眼映像フレーム（Ｌ）を先にディスプレイし、続いて右眼映像フレーム（Ｒ）をディスプレイする方式で交互に映像フレームをディスプレイすることを意味する。
【００４４】
この場合、メガネ装置１（２００−１）及びメガネ装置２（２００−２）は、同期化信号に応じて一つの３Ｄコンテンツの左眼映像フレームがディスプレイされる時、左側シャッタグラスをオープンさせ、同一の３Ｄコンテンツの右眼映像フレームがディスプレイされる時、右側シャッタグラスをオープンさせるように動作できる。右眼映像フレームと左眼映像フレームとは、一定の時差を有しており、交互でのディスプレイが非常に早いスピードで行われ、レンズが閉鎖される間、網膜の残像効果は持続するため、メガネ装置１（２００−１）とメガネ装置２（２００−２）とを着用した各ユーザには自然な映像を写すようになる。
【００４５】
図３は、本発明の一実施形態によって第２モードで複数の３Ｄコンテンツを提供する方法を説明するための図である。
【００４６】
図示のように、複数の３Ｄコンテンツ（コンテンツＡ、Ｂ）が３Ｄコンテンツである場合、映像ディスプレイ装置１００は、複数の３Ｄコンテンツ（コンテンツＡ、Ｂ）を交互にディスプレイすると同時に、各３Ｄコンテンツの左眼映像フレーム及び右眼映像フレームも交互にディスプレイすることができる。交互にディスプレイするとは、それぞれ上述の内容に対応する。
【００４７】
例えば、３ＤコンテンツＡの左眼映像及び右眼映像（ＡＬ、ＡＲ）をディスプレイし、３ＤコンテンツＢの左眼映像及び右眼映像（ＢＬ、ＢＲ）を交互にディスプレイすることができる。この場合、メガネ装置１（２００−１）は、３ＤコンテンツＡの左眼映像フレーム（ＡＬ）のディスプレイ時点で左眼シャッタグラスをオープンさせ、右眼映像フレーム（ＡＲ）のディスプレイ時点で右眼シャッタグラスをオープンさせ、メガネ装置２（２００−２）は、３ＤコンテンツＢの左眼映像フレーム（ＢＬ）のディスプレイ時点で左眼シャッタグラスをオープンさせ、３ＤコンテンツＢの右眼映像フレーム（ＢＲ）のディスプレイ時点で右眼シャッタグラスをオープンさせることができる。
【００４８】
図示はしていないが、３ＤコンテンツＡの左眼映像フレーム（ＡＬ）、３ＤコンテンツＢの左眼映像フレーム（ＢＬ）、３ＤコンテンツＡの右眼映像フレーム（ＡＲ）、３ＤコンテンツＢの右眼映像フレーム（ＢＲ）の順に交互にディスプレイすることも可能である。特に、この場合、各コンテンツの左眼映像フレームの間の時間差と、右眼映像フレームの間の時間差とが、一定に保持されるため、自然な３Ｄコンテンツを視聴することができる。
【００４９】
メガネ装置１（２００−１）を着用した視聴者１（ｖｉｅｗｅｒ１）は、３ＤコンテンツＡのみを視聴するようになり、メガネ装置２（２００−２）を着用した視聴者２（ｖｉｅｗｅｒ２）は、３ＤコンテンツＢのみを視聴するようになり、複数のユーザが一つの映像ディスプレイ装置１００で互いに異なる３Ｄコンテンツを視聴することができるようになる。
【００５０】
本発明の多様な実施形態に係る映像ディスプレイ装置１００は、テレビ、携帯電話、ＰＤＡ、ノートパソコン、モニタ、タブレットパソコン、電子書籍、デジタルフォトフレーム、キヨスク端末、フレキシブルディスプレイ（Ｆｌｅｘｉｂｌｅ  Ｄｉｓｐｌａｙ）、ＨＭＤ（Ｈｅａｄ  Ｍｏｕｎｔｅｄ  Ｄｉｓｐｌａｙ）等のように、ディスプレイユニットを備えた多様な装置であってよい。
【００５１】
図４及び図５は、本発明の多様な実施形態に係る同期化信号伝送方法を説明するための図である。
【００５２】
図４によると、映像ディスプレイ装置１００は、メガネ装置１（２００−１）及びメガネ装置２（２００−２）に対応する同期化信号をマルチプレキシング（Ｍｕｘｉｎｇ）した一つの信号をブロードキャスティングまたはマルチキャスティングすることができ、各メガネ装置２００−１、２００−２は、当該信号のうち、ユーザ命令（例えば、チャネル変更命令）に対応する同期信号に同期化してシャッタグラスをオン／オフさせるように動作することができる。
【００５３】
ただ、上述のような実施形態は一例に過ぎず、図５に示すように、映像ディスプレイ装置１００は、メガネ装置１（２００−１）及びメガネ装置２（２００−２）に対応する同期化信号をそれぞれ対応する各メガネ装置２００−１、２００−２にユニキャストし、当該メガネ装置２００−１、２００−２が当該同期化信号を受信する形態も実現することができる。
【００５４】
一方、同期化信号は、ＲＦ（Ｒａｄｉｏ  Ｆｒｅｑｕｅｎｃｙ）信号形態またはＩＲ（Ｉｎｆｒａ  Ｒｅｄ）信号形態で実現でき、それに対する詳細な説明は後述する。
【００５５】
図６は、本発明の上述の実施形態に係る映像ディスプレイ装置１００の構成を示すブロック図である。
【００５６】
図６に示すように、映像ディスプレイ装置１００は、信号処理部１２０と、出力部１３０と、インターフェース部１５０及び制御部１６０を含む。
【００５７】
信号処理部１２０は、２Ｄコンテンツまたは３Ｄコンテンツの映像フレームを構成する役割を担い、受信されたコンテンツに対する多様な信号処理を行う。各モードでの信号処理部１２０の動作について説明すると、次のようになる。
【００５８】
２Ｄシングルビューモードで信号処理部１２０は、一つの２Ｄコンテンツを構成する映像フレームをディスプレイ順と一致するように順次に構成する。
【００５９】
２Ｄマルチビューモードで信号処理部１２０は、複数の２Ｄコンテンツの映像フレームを交互に構成する。
【００６０】
３Ｄシングルビューモードで信号処理部１２０は、一つの３Ｄコンテンツの左眼映像フレームと右眼映像フレームとを交互に構成する。
【００６１】
３Ｄマルチビューモードで信号処理部１２０は、複数の３Ｄコンテンツのいずれか一つの３Ｄコンテンツの左眼映像フレームと右眼映像フレーム、他の３Ｄコンテンツの左眼映像フレームと右眼映像フレームを交互に構成する。
【００６２】
信号処理部１２０は、後述の図７の実施形態のように、複数個が備えられてよい（図７の１２０−１、１２０−２、…、１２０−ｎ）。この場合、複数の受信部（図７の１１０−１、１１０−２、…、１１０−ｎ）で受信されたコンテンツのそれぞれに対して、多様な信号処理を行うことができる。複数の信号処理部１２０−１、１２０−２、…、１２０−ｎは、受信されたそれぞれのコンテンツを映像フレーム形態で処理する。
【００６３】
出力部１３０は、信号処理部１２０で構成されたコンテンツの映像フレームを出力する。図示はしていないが、信号処理部１２０から出力された映像フレームがマルチプレクサ（ＭＵＸ）部（図示せず）を介してマルチプレキシングし、設定されたモードに応じて出力部１３０は各コンテンツの映像フレームを異なるように配置して出力する。
【００６４】
具体的に、出力部１３０は、２Ｄシングルビューモードでは一つの２Ｄコンテンツの映像フレームを順次に出力し、２Ｄマルチビューモードでは複数の２Ｄコンテンツの映像フレームを交互に出力し、３Ｄシングルビューモードでは一つの３Ｄコンテンツの左眼映像フレームと右眼映像フレームとを交互に出力し、３Ｄマルチビューモードでは各３Ｄコンテンツの左眼映像フレームと右眼映像フレームとを交互に出力する。
【００６５】
ここで、出力部１３０は、液晶ディスプレイパネル（Ｌｉｑｕｉｄ  Ｃｒｙｓｔａｌ  Ｄｉｓｐｌａｙ  Ｐａｎｅｌ）、プラズマディスプレイパネル（Ｐｌａｓｍａ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  Ｅｍｉｓｓｉｏｎ  Ｄｉｓｐｌａｙ）及びＥＬＤ（Ｅｌｅｃｔｒｏ  Ｌｕｍｉｎｅｓｃｅｎｃｅ  Ｄｉｓｐｌａｙ）のうち、少なくとも一つで実現されてよい。
【００６６】
インターフェース部１５０は、ユーザ命令を受信する構成である。ユーザ命令は、映像ディスプレイ装置を制御するための各種命令を含む。ユーザ命令は、遠隔制御装置（以下、リモコンという）またはメガネ装置２００から生成されて伝送されてよい。
【００６７】
特に、インターフェース部１５０を介して受信された第１モード及び第２モードのいずれか一方で動作するためのモード切り替え命令を受信することができる。モード切り替え命令は、リモコン３００から伝送してよく、メガネ装置から伝送してよい。それについては後述する。その他にも、インターフェース部１５０を介して同期化信号をメガネ装置に伝送することもできる。情報の送受信方式は、技術的に限定されない。
【００６８】
例えば、インターフェース部１５０は、ＲＦ通信モジュールを備えてメガネ装置と通信を行うことができる。ここで、ＲＦ通信モジュールは、ブルートゥース通信モジュールで実現可能である。それにより、インターフェース部１５０は、同期化信号が含まれるように、ブルートゥース通信規格による伝送ストリームを生成してメガネ装置に伝送することができる。
【００６９】
即ち、伝送ストリームは、各コンテンツのディスプレイタイミングに同期化してメガネ装置のシャッタグラスをオン／オフさせるための時間情報を含む。具体的に、伝送ストリームは、各コンテンツ毎に設定された基準時点からメガネ装置の左眼シャッタグラスをオンさせるオフセット（Ｏｆｆｓｅｔ）時間、左眼シャッタグラスをオフさせるオフセット時間、右眼シャッタグラスをオンさせるオフセット時間、右眼シャッタグラスをオフさせるオフセット時間に対する情報を含むことができる。ここで、基準時点とは、各コンテンツの映像フレームで垂直同期信号が発生される時点として、垂直同期信号が発生される時点に対する時間情報も伝送ストリームに併せて含まれてよい。
【００７０】
一実施形態として、ブルートゥース通信方式により通信を行うために、インターフェース部１５０は、各メガネ装置とペアリング（ｐａｉｒｉｎｇ）を行う。ペアリングが完了すると、インターフェース１５０には各メガネ装置に対する情報、例えば、装置ＩＤ（または、アドレス）等が登録されてよい。インターフェース部１５０は、各コンテンツのディスプレイタイミングとメガネ装置に対する情報とをマッチングさせて、ブルートゥース通信規格による一つの伝送ストリームを生成する。例えば、インターフェース部１５０はコンテンツの映像フレームが配列された順番により、各コンテンツ毎に異なるメガネ装置に対する情報をマッチングさせることができる。即ち、マルチビューモード（第２モード）で、２つのコンテンツが交互に提供される場合、一番目、三番目、…、ｎ番目に配置されたコンテンツの映像フレームは、第１メガネ装置に対する情報をマッチングさせ、二番目、四番目、…、ｎ＋１番目に配置されたコンテンツの映像フレームは、第２メガネ装置に対する情報をマッチングさせることができる（ここで、ｎとは奇数）。メガネ装置は、同期化信号が受信されると、自らのメガネ装置情報に対応するディスプレイタイミングを確認し、確認されたディスプレイタイミングに応じてシャッタグラスをオンまたはオフさせることができる。
【００７１】
上述の実施形態においては、インターフェース部１５０とメガネ装置とがブルートゥース通信方式により通信を行うものとして説明したが、それは、一例に過ぎない。即ち、ブルートゥース方式以外に赤外線通信、Ｚｉｇｂｅｅ（登録商標）等の通信方式を利用することができ、その他の近距離から通信チャネルを形成して信号を送受信することができる多様な無線通信方式により通信を行うことができる。
【００７２】
一方、インターフェース部１５０は、異なる周波数を有するＩＲ（Ｉｎｆｒａ  Ｒｅｄ）同期化信号をメガネ装置に提供することができる。この場合、メガネ装置は、特定周波数を有する同期化信号を受信し、対応するコンテンツのディスプレイタイミングに応じてシャッタグラスをオンまたはオフさせることができる。
【００７３】
この場合、インターフェース部１５０は、同期化情報に基づいて予め設定された時間間隔で第１周期の間のハイレベル（ｈｉｇｈ  ｌｅｖｅｌ）と、第２周期の間のローレベル（ｌｏｗ  ｌｅｖｅｌ）とが交互に繰り返される赤外線信号をメガネ装置に伝送することができる。メガネ装置は、ハイレベルである第１周期の間にシャッタグラスをオンさせ、ローレベルである第２周期の間にシャッタグラスをオフさせるように実現することができる。その他にも、同期化信号は多様な方式で生成することもできる。
【００７４】
制御部１６０は、映像ディスプレイ装置１００の動作全般を制御する。具体的に、制御部１６０は、信号処理部１２０、マルチプレクサ（ＭＵＸ）部（図示せず）、出力部１３０と、インターフェース部１５０の各々を制御し、対応する動作を行うように各構成を制御することができる。特に、インターフェース部１５０を介して受信された第１モード及び第２モードのいずれか一方で動作するためのモード切り替え命令に応じて、モードを切り替えて出力するように出力部１３０を制御することができる。制御部１６０は、ハードウェア的な観点から、マイクロプロセッサ、ＩＣチップまたはＣＰＵ（Ｃｅｎｔｒａｌ  Ｐｒｏｃｅｓｓｉｎｇ  Ｕｎｉｔ）であってよく、ソフトウェア的な観点からはＯＳ、アプリケーションを含む。
【００７５】
図７及び図８は、本発明の詳細な構成を示すブロック図である。
【００７６】
まず、図７は、本発明の映像ディスプレイ装置１００’の構成を示すブロック図である。
【００７７】
図７に示すように、映像ディスプレイ装置１００’は、複数の受信部１１０−１、１１０−２、…、１１０−ｎ、複数の信号処理部１２０−１、１２０−２、…、１２０−ｎ、出力部１３０と、同期化信号生成部１４０と、インターフェース部１５０及び制御部１６０を含む。
【００７８】
信号処置部１２０と、出力部１３０と、インターフェース部１５０及び制御部１６０については既に説明しているため、ここでは、受信部１１０と、同期化信号生成部１４０のみを追加で説明する。
【００７９】
複数の受信部１１０−１、１１０−２、…、１１０−ｎは、異なるコンテンツのそれぞれを受信する。具体的に、各受信部１１０−１、１１０−２、…、１１０−ｎは、放送ネットワークを用いて放送番組コンテンツを伝送する放送局またはインターネットを用いてコンテンツファイルを伝送するウェブサーバからコンテンツを受信する。なお、映像ディスプレイ装置１００’内に設けられたり、映像ディスプレイ装置１００’に接続された各種記録媒体再生装置からコンテンツを受信することもできる。ここで、記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００８０】
放送局からコンテンツを受信する実施形態に場合には、複数の受信部１１０−１、１１０−２、…、１１０−ｎは、チューナ（図示せず）と、復調器（図示せず）、等化器（図示せず）等のような構成を含む形態で実現されてよい。一方、ウェブサーバのようなソースからコンテンツを受信する実施形態の場合には、複数の受信部１１０−１、１１０−２、…、１１０−ｎは、ネットワークインターフェースカード（図示せず）で実現可能である。または、上述の各種記録媒体再生装置からコンテンツを受信する実施形態の場合には、複数の受信部１１０−１、１１０−２、…、１１０−ｎは、記録媒体再生装置と接続されたインターフェース部（図示せず）で実現されてよい。例えば、ＡＶ端子やＣＯＭＰ端子、ＨＤＭＩ（登録商標）端子等で実現可能である。その他にも、複数の受信部１１０−１、１１０−２、…、１１０−ｎは実施形態に応じて、多様な形態で実現されてよい。なお、複数の受信部１１０−１、１１０−２、…、１１０−ｎは、必ずしも同様の類型のソースからコンテンツを受信する必要はなく、異なる類型のソースからコンテンツを受信することもできる。
【００８１】
同期化信号生成部１４０は、各コンテンツのディスプレイタイミングに応じて、各コンテンツに対応するメガネ装置を同期化させる同期化信号を生成する。
【００８２】
２Ｄシングルビューモードで、メガネ装置２００を同期化させる必要がないため、別途の同期化信号は必要としない。
【００８３】
一方、２Ｄマルチビューモードで、コンテンツの個数に対応する同期化信号を生成し、各メガネ装置２００に伝送しなければならない。しかし、各メガネ装置２００の左眼シャッタグラスと右眼シャッタグラスとのオン／オフタイミングが同一であるため、各メガネ装置２００は映像ディスプレイ装置１００から一つの同期化信号のみを受信すればよい。
【００８４】
３Ｄシングルビューモードで、左眼映像フレームと右眼映像フレームとに対応する２種の同期化信号を生成することができる。この場合、各メガネ装置は、２種の同期化信号を受信しなければならず、各信号に応じて左眼シャッタグラスと右眼シャッタグラスとを順次にオン／オフさせる。
【００８５】
３Ｄマルチビューモードでは、各コンテンツ別に左眼映像フレームと右眼映像フレームとに対応する２種の同期化信号を生成することができる。各メガネ装置２００は視聴するコンテンツに対する左眼映像フレームと右眼映像フレームとに対応する同期化信号を受信しなければならず、各信号に応じて左眼シャッタグラスと右眼シャッタグラスとを順次にオン／オフさせる。
【００８６】
一方、映像ディスプレイ装置１００は、２Ｄマルチビューモードまたは３Ｄマルチビューモードで各コンテンツに含まれたオーディオデータを各コンテンツ別に異なるように提供する構成を更に含む。即ち、各受信部１１０−１、１１０−２、…、１１０−ｎから受信されたコンテンツからビデオデータ及びオーディオデータを分離するためのデマルチプレクサ（図示せず）、分離されたオーディオデータをデコードするオーディオデコーダ（図示せず）、デコードされた各オーディオデータを異なる周波数信号に変調する変調部（図示せず）、変調された各オーディオデータをメガネ装置に伝送する出力部（図示せず）等を更に含んでよい。出力部１３０から出力された各オーディオデータは、メガネ装置に備えられたイヤホンのような出力手段を通じてユーザに提供される。このような構成は、本発明と直接的な関連性がないため、別途の図示は省略する。
【００８７】
なお、コンテンツにＥＰＧ（Ｅｌｅｃｔｒｉｃ  Ｐｒｏｇｒａｍ  Ｇｕｉｄｅ）及び字幕のような付加情報が含まれている場合、デマルチプレクサ（図示せず）はコンテンツから付加データを分離することもできる。そして、映像ディスプレイ装置１００は、付加データ処理部（図示せず）を介して表示可能に処理された字幕等を対応する映像フレームに付加することもできる。
【００８８】
続いて、図８は、複数の信号処理部のいずれか一つの具体的な構成を示すブロック図である。
【００８９】
図８を参照すると、信号処理部１２０−１は、ビデオ処理部１２１−１及びフレームレート変換部１２２−１を含んでよい。
【００９０】
ビデオ処理部１２１−１は、受信されたコンテンツに含まれたビデオデータに対する信号処理を行う。具体的に、ビデオ処理部１２１−１は、ビデオデータに対するデコードを行うデコーダ（図示せず）、出力部１３０の画面サイズに合わせてアップまたはダウンスケーリングを行うスケーラ（図示せず）を含んでよい。
【００９１】
その他に、ビデオ処理部１２１−１は、フレームレート変換部１２２−１に対応するデータフォーマットでビデオデータを変換することもできる。例えば、各コンテンツの映像フレームを横方向に並んで接続されるサイドバイサイドフォーマットに変換することができる。
【００９２】
フレームレート変換部１２２−１は、ビデオ処理部１２１−１から提供されるコンテンツのフレームレートを映像ディスプレイ装置１００の出力レートを参照してマルチコンテンツディスプレイレートに合わせて変換する。具体的に、映像ディスプレイ装置１００が、６０Ｈｚで動作する場合なら、フレームレート変換部１２２−１は各コンテンツのフレームレートをｎ×６０Ｈｚに変換することができる。
【００９３】
例えば、２Ｄシングルビューモードで、ＦＨＤ（Ｆｕｌｌ  Ｈｉｇｈ  Ｄｅｆｉｎｉｔｉｏｎ）の場合、１２０Ｈｚでコンテンツの映像フレームレートを設定することができる。なお、２Ｄマルチビューモードで、２つの２Ｄコンテンツの映像フレームを交互に出力する場合、２Ｄコンテンツの映像フレームレートは、２４０Ｈｚに設定することができる。同様に、３Ｄシングルビューモードで一つの３Ｄコンテンツの左眼映像フレームと右眼映像フレームとを交互に出力する場合、３Ｄコンテンツの映像フレームレートは、２４０Ｈｚに設定することができる。３Ｄマルチビューモードは、より高速のフレーム出力が必要になるため、２つの３Ｄコンテンツの左眼映像フレームと右眼映像フレームとを交互に出力する場合、３Ｄコンテンツの映像フレームレートは４８０Ｈｚに設定することができる。
【００９４】
モード切り替え命令に応じてモードを切り替える実施形態
以下では、モード切り替え命令に応じて、第１モードと第２モードとの間でモードを切り替える実施形態について、図を参照して説明する。
【００９５】
図９は、本発明の一実施形態によってモード切り替え命令を伝送するディスプレイ画面を示している。
【００９６】
図９に示すように、モードを切り替えようとする場合、映像ディスプレイ装置１００のディスプレイ部にモード切り替えのためのＯＳＤ（Ｏｎ  Ｓｃｒｅｅｎ  Ｄｉｓｐｌａｙ）メニューがディスプレイされる。具体的に、制御部は、第１モードの縮小画面及び第２モードの縮小画面とともにモード切り替えのためのＯＳＤメニューを出力することができる。
【００９７】
例えば、２Ｄマルチビューモードで、コンテンツ１を視聴しているユーザがモード切り替えをしようとする場合、メガネ装置２００のボタン（図２３の２４１を参照）を長押ししたり、リモコンボタン（図示せず）を押して制御信号を送出することで、映像ディスプレイ装置１００のディスプレイ部にモード切り替え画面をディスプレイすることができる。ディスプレイ部には、現在２Ｄシングルビューでディスプレイされる番組のタイトルである“ギャグコンサート”をその縮小画面ないしサムネールイメージ（Ｔｈｕｍｂｎａｉｌ  ｉｍａｇｅ）とともにメニュー形態でディスプレイする。なお、図９に示すように、３Ｄシングルビューモードでは、“ターボーレータ”がディスプレイされており、３Ｄマルチビューのチャネル１では“ショーン・オブ・ザ・デッド”が、３Ｄマルチビューのチャネル２では“人類滅亡報告書”がディスプレイされることを示す情報が表示されたメニューがディスプレイされる。しかし、上記実施形態において、コンテンツ２の視聴画面にはこのようなメニューが表示されない。
【００９８】
このように、コンテンツのモードがシングルビューかマルチビューかを表示する理由は、解像度に関係がある。すなわち、一つのマルチビュープロセスＩＣ（Ｉｎｔｅｇｒａｔｅｄ  Ｃｉｒｃｕｉｔ）を利用する場合、シングルビューはデュアルビュー（マルチビューモードで２つのコンテンツが受信される場合）に比べて、２倍の解像度で処理することができる。しかし、ＦＨＤ（Ｆｕｌｌ  Ｈｉｇｈ  Ｄｅｆｉｎｉｔｉｏｎ）映像で、ユーザがシングルビューとデュアルビューとの間で解像度の差を感じやすくないため、このような情報はしばしば省略が可能である。従って、各チャネルでディスプレイされるコンテンツがシングルビューか、マルチビューかに対する表示は、必要に応じて省略されてよい。
【００９９】
ＯＤＳメニューを表示することができる方法は多様である。一実施形態として上述した信号処理部１２０は、ＯＳＤメニューをコンテンツの映像フレームにエンコードして映像フレームを構成することができる。上記の実施形態において、コンテンツ１の映像フレームにモード切り替えのためのＯＳＤメニューが同時にエンコードされて映像フレームが構成されてよい。コンテンツ２の視聴画面には前記ＯＳＤメニューがディスプレイされない。
【０１００】
別の実施形態として、映像ディスプレイ装置１００は別途のＯＳＤ表示レイヤ（ｌａｙｅｒ）を備えることができる。ただ、この場合、ＯＳＤメニューは、特定コンテンツの映像フレームに含まれはしないが、モード切り替え命令があるコンテンツの映像フレームと同期化し、そのコンテンツのディスプレイタイミングでＯＳＤ表示レイヤに表示される。よって、コンテンツ１を視聴するユーザが、ＯＳＤメニュー表示を要求した場合、コンテンツ２のディスプレイ画面には、ＯＳＤメニューがディスプレイされない。
【０１０１】
ユーザは、自分所望のモードを選択することができ、この場合、モード切り替え命令がインターフェース部１５０を介して受信される。
【０１０２】
上記の実施形態において、モード切り替え命令は、ＯＳＤメニューで現在のモードと異なるモードを選択する入力であってよい。このとき、ＯＳＤメニューの特定アイテムを選択する方法も多様であってよい。
【０１０３】
図９の実施形態は、３Ｄデュアル１チャネルを示すメニューアイテムがハイライト（ｈｉｇｈｌｉｇｈｔ）処理されている状態を示している。上述のように、メガネ装置２００のボタン２４１を長押しする場合、映像ディスプレイ装置１００のディスプレイ部にモード切り替えのためのＯＳＤメニューを表示することができ、ボタンを短く押してディスプレイ部にメニューアイテムをトグル（ｔｏｇｇｌｅ）しつつ、メニューアイテムが順次にハイライトさせることができ、もう一度長押しして現在ハイライトされたメニューアイテムを選択することができる。
【０１０４】
一方、メガネ装置２００のボタン２４１を押す場合、他のモードでディスプレイされる画面に対する情報を一つずつ映像ディスプレイ装置１００のディスプレイ部に表示することもできる。この場合、ボタン２４１を押す度に、次第に他のモードに対応するメニューアイテムを写し、ボタン２４１を長押ししたり、他のボタンを押して画面に表示されたメニューアイテムを選択することで、モード切り替え命令を伝送する。なお、上述の実施形態は、メガネ装置２００のボタン２４１ではない、リモコン（図示せず）のボタンを押すことで、行われてよい。
【０１０５】
なお、上述の実施形態は、２Ｄマルチビューにおけるシナリオについて説明したが、３Ｄシングルビュー、３Ｄマルチビューでも同様に適用されてよい。
【０１０６】
一方、上述の実施形態において、他のコンテンツを視聴しているユーザは、やむを得ずモードが変更されることで、視聴妨害を受けるおそれがある。すなわち、モード切り替えの権限設定が問題になる。
【０１０７】
図１０ないし図１２は、このような問題を解決するための本発明の更に別の実施形態を示している。
【０１０８】
図１０ないし図１２を参照すると、インターフェース部１５０を介してモード切り替え命令が受信された場合、制御部は、モード切り替えに対する同意可否を問うメッセージを出力するように出力部１３０を制御することができる。このようなメッセージは、上述のように、特定コンテンツの映像フレームに含めて出力したり、特定コンテンツのディスプレイタイミングでＯＳＤレイヤに出力することができる。
【０１０９】
上述の実施形態において、コンテンツ１の視聴者が着用したメガネ装置でモード切り替え命令を伝送した場合、例えば、３Ｄシングルチャネルを選択する入力を行った場合、コンテンツ２の視聴画面には３Ｄ映像を視聴するか否かを問うメッセージを表示する。図１０の実施形態において、３Ｄシングルでディスプレイされている番組“ターボーレータ２”に対する縮小映像を含む情報をＯＳＤメニューとともにディスプレイしている。
【０１１０】
一方、コンテンツ１の視聴者のメガネ装置が３Ｄデュアルチャネルへのモード切り替え命令を伝送した場合、コンテンツ２の視聴者は自分が望む３Ｄコンテンツを選択できるようにしなければならないため、映像ディスプレイ装置１００は、図１１のように、３Ｄチャネル別にディスプレイされている番組情報を縮小映像とともにディスプレイすることができる。コンテンツ２の視聴者は、メガネ装置２００のボタン２４１を短く押して所望の３Ｄチャネルアイテムまたはモード切り替え拒否アイテムを映像ディスプレイ装置１００のディスプレイ部にトグルして表示し、所望のアイテムがハイライトされた状態で、もう一度ボタン２４１を長押しして当該アイテムを選択することができる。この場合、チャネルアイテムを選択する入力は、モード切り替え同意メッセージになる。一方、モード切り替え拒否アイテムを選択する入力は、モード切り替えに同意しないメッセージになる。
【０１１１】
図１２は、第１モードから第２モードへのモード切り替え命令を伝送した場合、３Ｄシングルビューモードと３Ｄマルチビューモードとを両方含む３Ｄチャネル情報をディスプレイする実施形態を示している。現実的に、ユーザは視聴可能な全ての３Ｄコンテンツに対する情報を望むことができ、図１２の場合、コンテンツ１のメガネ装置２００が伝送したモード切り替え命令が３Ｄシングルビューモードである場合も、コンテンツ２に対応するメガネ装置２００は３Ｄマルチビューモードで出力される３Ｄコンテンツを選択することができるようになる。
【０１１２】
一方、本発明において、一つのコンテンツは、複数のメガネ装置２００を通じて視聴することができる。この場合、複数のメガネ装置の間の権限設定が問題になる。
【０１１３】
それを解決するための一つの方法として、メガネ装置２００の権限を異なるように設定する方法があってよい。例えば、いずれか一つのメガネ装置２００のみがモード切り替え命令を下したり、モード切り替えに同意するメッセージを伝送することができる権限を設定することができる。この場合、そのメガネ装置と、一つのコンテンツを同時に視聴しているユーザが着用したメガネ装置とは、モード切り替え命令を伝送したり、モード切り替えに同意するメッセージを伝送することができなくなる。よって、権限のあるメガネ装置２００のモード切り替えによって他のメガネ装置も映像ディスプレイ装置１００と同期化が行われる。なお、このようなモード切り替えの権限設定は映像ディスプレイ装置１００で必要に応じて、メガネ装置別に異なるように設定できるようにすることができる。
【０１１４】
図１３は、現在モードと切り替わるモードとの特定に応じて、モード切り替え同意可否を問うメッセージが必要かを示す表である。同一のコンテンツ項目は、同一のコンテンツを視聴するユーザが複数人である場合、各ユーザにモード切り替え同意を求めるべきかを意味する。例えば、２Ｄシングルビューモードから２Ｄマデュアルビューモードに切り替わる場合、上述のように、コンテンツの映像フレームの解像度が落ちる可能性があるため、同一のコンテンツにペアリングしている他のメガネ装置にモード切り替え同意可否を問うメッセージが伝達されなければならない。この場合、モード切り替えは、チャネル変更の性格をもつ。一方、現在シングルビューモードであって他のコンテンツが出力されていない状況であるため、上述の他のメガネ装置以外のメガネ装置に対して同意を求める必要がない。逆に、２Ｄデュアルモードから３Ｄデュアルモードにモード切り替えを行う場合、全てのユーザの視聴モードが異なるようになるため、複数のコンテンツを視聴する全てのユーザに同意を求めなければならない。しかし、２Ｄデュアルモードから２Ｄシングルビューモードに切り替わる場合、他のコンテンツを視聴するユーザに何の影響を与えないため、同意を求める必要がない。
【０１１５】
ただ、図１３は一実施形態に過ぎず、本発明の別の実施形態において、モード切り替え同意可否を問うメッセージを全てのユーザの視聴する画面にディスプレイすることもできる。例えば、目の疲れ等によって、低画質の画面を視聴しようと、２Ｄデュアルモードで視聴するユーザのために、２Ｄシングルビューモードに切り替えが行われる場合も、上述のモード切り替えメッセージを表示することができる。
一方、図示はしていないが、モード切り替え命令がリモコン３００から受信される場合、制御部１６０は、モード切り替えに対する同意可否を問うメッセージを出力せずに、モードを切り替えて出力するように出力部１３０を制御することができる。このように、リモコン３００の信号に対しては、最上位の権限を設定することで、映像ディスプレイ装置１００の動作を効率的に制御することができる。
【０１１６】
視聴環境を設定する実施形態
上述のように、映像ディスプレイ装置１００は、多様な出力モードを有するため、一人のユーザが視聴環境を設定する場合、他のユーザの視聴環境にも影響を与えかねないため、適切な制御手段が必要である。
【０１１７】
ここで、視聴環境とは、例えば、画面モード、バックライト（ｂａｃｋｌｉｇｈｔ）、デプス（ｄｅｐｔｈ）、輝度（ｂｒｉｇｈｔｎｅｓｓ）、コントラスト（ｃｏｎｔｒａｓｔ）、解像度（ｒｅｓｏｌｕｔｉｏｎ）、シャープネス（ｓｈａｒｐｎｅｓｓ）、ブラックトーン（ｂｌａｃｋ  ｔｏｎｅ）、字幕の位置及び大きさ、マスターボリューム（ｍａｓｔｅｒ  ｖｏｌｕｍｅ）、イコライザ（ｅｑｕａｌｉｚｅｒ）情報（バランス、周波数帯域別の増幅レベル）、 ＳＲＳ  ＴｒｕＳｕｒｒｏｕｎｄ  ＨＤ、シャープネス、ブラックトーン情報のように、コンテンツのディスプレイ環境を決定する要素を意味する。
【０１１８】
図１４及び図１５は、視聴環境設定命令が受信される場合、映像ディスプレイ装置１００の動作を示す参考図である。
【０１１９】
図１４を参照すると、インターフェース部１５０を介して視聴環境設定命令が受信される場合、制御部１６０は、視聴環境設定に対する同意可否を問うメッセージをディスプレイ部に表示し、インターフェース部１５０を介して視聴環境設定同意メッセージが受信される場合、視聴環境設定命令に応じて視聴環境を設定し、２Ｄコンテンツまたは３Ｄコンテンツの映像フレームを出力するように制御することができる。
【０１２０】
視聴環境設定命令は、上述のモード切り替え命令と同様に、メガネ装置２００またはリモコン３００を通じて映像ディスプレイ装置１００に伝送することができる。
【０１２１】
例えば、図１４のように、一人のユーザがリモコン（図示せず）またはメガネ装置２００を通じてデプスを増加させる命令を映像ディスプレイ装置１００に伝送した場合、映像ディスプレイ装置１００は受け入れ可否を問うメッセージをディスプレイ部に表示することができる。このような視聴環境設定問題は、主に同一のコンテンツを視聴している複数の視聴者がいる場合に問題になる。しかし、複数の３Ｄコンテンツが提供される３Ｄマルチビューモードで、いずれか一人の視聴者がデプスを増加させる命令をリモコンまたはメガネ装置を通じて映像ディスプレイ装置１００に伝送した場合、視聴している３Ｄコンテンツのデプスが増加しても、他の３Ｄコンテンツには影響がないため、他のコンテンツのディスプレイ画面には上記のようなメッセージを表示する必要がない。
【０１２２】
しかし、コンテンツに関係なく、全てのユーザに影響を及ぼす場合は、全てのコンテンツのディスプレイ画面にメッセージを表示しなければならない。例えば、映像ディスプレイ装置１００のマスターボリュームを設定する命令を伝送する場合、マスターボリュームに応じて映像ディスプレイ装置１００の出力ボリュームに差が生じるため、このような命令を実行するか、他のユーザの同意を求めなければならない。
【０１２３】
図１５は、視聴環境設定命令がリモコン３００から受信される場合、映像ディスプレイ装置１００の動作を説明するための参考図である。
【０１２４】
図１５のように、視聴環境設定命令がリモコン３００から受信される場合、制御部は、視聴環境設定に対する同意可否を問うメッセージを出力せずに、視聴環境を設定して出力するように制御することができる。このように、リモコン３００の信号に対しては、最上位の権限を設定することで、映像ディスプレイ装置１００の動作を効率的に制御することができる。
【０１２５】
以下では、本発明の更に別の実施形態に係る映像ディスプレイ方法について、図を参照して説明する。
【０１２６】
図１６ないし図２１は、本発明の更に別の実施形態に係る映像ディスプレイ方法を示すフローチャートである。
【０１２７】
図１６を参照すると、本発明の更に別の実施形態に係る映像ディスプレイ方法は、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成し（Ｓ１６１０）、２Ｄコンテンツの映像フレームをディスプレイする第１モード、または、３Ｄコンテンツの映像フレームをディスプレイする第２モードで、２Ｄコンテンツまたは３Ｄコンテンツの映像フレームを出力し（Ｓ１６２０）、第１モード及び第２モードのいずれか一方で動作するためのモード切り替え命令を受信すると（Ｓ１６３０−Ｙ）、受信されたモード切り替え命令に応じて、モードを切り替えて２Ｄコンテンツまたは３Ｄコンテンツの映像フレームを出力する（Ｓ１６４０）。
【０１２８】
各ステップについては既に説明しているため、重複する内容は省略する。
【０１２９】
なお、上述のように、第１モードは、一つの２Ｄコンテンツの映像フレームを順次に出力する２Ｄシングルビューモード、及び複数の２Ｄコンテンツの映像フレームを交互に出力する２Ｄマルチビューモードのいずれか一方であってよい。
【０１３０】
なお、第２モードは、一つの３Ｄコンテンツの左眼映像フレームと右眼映像フレームとを交互に出力する３Ｄシングルビューモード、及び複数の３Ｄコンテンツそれぞれの左眼映像フレームと右眼映像フレームとを交互に出力する３Ｄマルチビューモードのいずれか一方であってよい。
【０１３１】
図１７を参照すると、本発明の更に別の実施形態に係る映像ディスプレイ方法は、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成し（Ｓ１７１０）、２Ｄコンテンツの映像フレームをディスプレイする第１モード、または、３Ｄコンテンツの映像フレームをディスプレイする第２モードで、２Ｄコンテンツまたは３Ｄコンテンツの映像フレームを出力し（Ｓ１７２０）、第１モード及び第２モードのいずれか一方で動作するためのモード切り替え命令を受信すると（Ｓ１７３０−Ｙ）、モード切り替えに対する同意可否を問うメッセージを出力し（Ｓ１７４０）、モード切り替え同意メッセージが受信される場合（Ｓ１７５０−Ｙ）、モードを切り替えて２Ｄコンテンツまたは３Ｄコンテンツの映像フレームを出力することができる（Ｓ１７６０）。
【０１３２】
図１８を参照すると、本発明の更に別の実施形態に係る映像ディスプレイ方法は、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成し（Ｓ１８１０）、２Ｄコンテンツの映像フレームをディスプレイする第１モード、または、３Ｄコンテンツの映像フレームをディスプレイする第２モードで、２Ｄコンテンツまたは３Ｄコンテンツの映像フレームを出力し（Ｓ１８２０）、第１モード及び第２モードのいずれか一方で動作するためのモード切り替え命令を受信し（Ｓ１８３０−Ｙ）、モード切り替え命令がリモコン３００から受信される場合（Ｓ１８４０−Ｙ）、モード切り替えに対する同意可否を問うメッセージを出力せずに、モードを切り替えて２Ｄコンテンツまたは３Ｄコンテンツの映像フレームを出力することができる（Ｓ１８７０）。しかし、リモコン３００ではない他の装置、例えば、メガネ装置からモード切り替え同意メッセージが受信されない場合（Ｓ１８４０−Ｎ）、モード切り替え同意可否を問うメッセージを出力し（Ｓ１８５０）、モード切り替え同意メッセージが受信されると（Ｓ１８６０−Ｙ）、モードを切り替えて２Ｄコンテンツまたは３Ｄコンテンツの映像フレームを出力する（Ｓ１８７０）。
【０１３３】
図１９を参照すると、本発明の更に別の実施形態に係る映像ディスプレイ方法は、図１８の実施形態でモードが切り替わり、切り替わったモードで複数のコンテンツが受信される場合（Ｓ１９６０−Ｙ）、複数のコンテンツのいずれか一つを選択することができるメニューを出力し、メニューから選択されたコンテンツに対応する同期化信号を前記モード切り替え命令を伝送したメガネ装置に伝送するステップ（Ｓ１９７０）を更に含んでよい。
【０１３４】
なお、図２０を参照すると、本発明の更に別の実施形態に係る映像ディスプレイ方法は、図１６で視聴環境設定命令が受信される場合（Ｓ２０５０−Ｙ）、視聴環境設定に対する同意可否を問うメッセージを出力し（Ｓ２０６０）、視聴環境設定同意メッセージが受信される場合（Ｓ２０７０−Ｙ）、視聴環境設定命令に応じて視聴環境を設定し、２Ｄコンテンツまたは３Ｄコンテンツの映像フレームを出力することができる（Ｓ２０８０）。
【０１３５】
なお、図２１を更に参照すると、図２０の実施形態において、視聴環境設定命令がリモコン３００から受信される場合（Ｓ２１６０−Ｙ）、視聴環境設定に対する同意可否を問うメッセージを出力せずに、視聴環境設定命令に応じて視聴環境を設定し、２Ｄコンテンツまたは３Ｄコンテンツの映像フレームを出力することができる（Ｓ２０７０）。
【０１３６】
一方、上述の本発明の多様な実施形態に係る方法を行うためのプログラムは、多様な記録媒体に保存されて使用されてよい。
【０１３７】
具体的には、上述の方法を行うためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭなどのように、端末機で読取可能な多様な記録媒体に保存されていてよい。
【０１３８】
メガネ装置の構成
以下では、本発明の多様な実施形態に係るメガネ装置２００を説明する。
【０１３９】
図２２は、本発明の多様な実施形態に係るメガネ装置２００の構成を示すブロック図である。
【０１４０】
図２３及び図２４は、多様な入力部２４０を含むメガネ装置２００の実施形態を示している。
【０１４１】
図２２によると、メガネ装置２００は、複数のコンテンツを映像フレーム単位で交互にディスプレイする映像ディスプレイ装置１００と連動し、通信インターフェース部２１０と、制御部２２０と、入力部２４０と、第１シャッタグラス部２５０及び第２シャッタグラス部２６０を含む。
【０１４２】
通信インターフェース部２１０は、映像ディスプレイ装置１００と通信し、同期化信号を受信する。
【０１４３】
例えば、通信インターフェース部２１０がブルートゥース通信モジュールで実現される場合、映像ディスプレイ装置１００とブルートゥース通信規格による通信を行い、同期化信号が含まれた伝送ストリームを受信することができる。この場合、伝送ストリームは、各コンテンツのイメージフレームのディスプレイタイミングに同期化し、メガネ装置２００の第１シャッタグラス部２５０及び第２シャッタグラス部２６０をオンまたはオフさせるための時間情報を含み、メガネ装置２００は、自分のメガネ装置に対応するコンテンツにイメージフレームのディスプレイタイミングに応じてシャッタグラスをオンまたはオフさせることができる。
【０１４４】
一方、通信インターフェース部２１０は、ＩＲ受信モジュールで実現され、特定周波数を有する赤外線形態の同期化信号を受信することができる。この場合には、コンテンツの映像フレームのディスプレイタイミングに同期化するようにメガネ装置２００の第１シャッタグラス部２５０及び第２シャッタグラス部２６０をオンまたはオフさせるための時間情報を含む。
【０１４５】
一方、通信インターフェース部２１０は、映像ディスプレイ装置１００から各コンテンツに対する映像フレームレート（ｒａｔｅ）、映像フレーム周期に対する情報を受信することもできる。
【０１４６】
制御部２２０は、メガネ装置２００の動作全般を制御する。制御部２２０は、通信インターフェース部２１０から受信された同期化信号を用いて、シャッタグラス部２５０、２６０の動作を制御する。即ち、制御部２２０は、同期化信号に基づいて、第１シャッタグラス部２５０及び第２シャッタグラス部２６０を駆動させるための駆動信号が生成されるように制御する。
【０１４７】
このとき、メガネ装置２００は、第１シャッタグラス及び第２シャッタグラスを駆動させるためのシャッタグラス駆動部（図示せず）を更に含んでよい。
【０１４８】
シャッタグラス駆動部（図示せず）は、制御部２２０から受信された同期化信号に基づいて駆動信号を生成する。特に、シャッタグラス駆動部（図示せず）は、同期化信号に基づいて、映像ディスプレイ装置１００からディスプレイされる２Ｄコンテンツまたは３Ｄコンテンツの映像フレームディスプレイタイミングに応じて、第１シャッタグラス部２５０及び第２シャッタグラス部２６０をオープンさせることができる。
【０１４９】
第１シャッタグラス部２５０及び第２シャッタグラス部２６０は、シャッタグラス駆動部（図示せず）から受信された駆動信号に応じて、シャッタグラスをオンまたはオフさせる。２Ｄマルチビューコンテンツの場合、第１シャッタグラス部２５０と第２シャッタグラス部２６０とは同時のオープンまたはクローズされる。
【０１５０】
一方、３Ｄコンテンツの場合、第１シャッタグラス部２５０及び第２シャッタグラス部２６０は、それぞれ交互に開閉される。即ち、駆動信号に応じて、３Ｄコンテンツを構成する左眼映像フレームがディスプレイされるタイミングで第１シャッタグラス部２５０が開放され、右眼映像フレームがディスプレイされるタイミングで第２シャッタグラス部２６０を開放することができる。
【０１５１】
第１シャッタグラス部２５０及び第２シャッタグラス部２６０は、液晶セル（Ｌｉｑｕｉｄ  Ｃｒｙｓｔａｌ  Ｃｅｌｌ）を含んでよい。液晶セルは、駆動電圧に応じて配向がスイッチングされ、スイッチングされた配向に応じて、光を遮断したり透過させる。例えば、３Ｄシングルビューモードで、３Ｄコンテンツの左眼映像フレームがディスプレイされるタイミングでメガネ装置２００のシャッタグラス駆動部（図示せず）は、第１シャッタグラス部に電圧を印加し、印加された電圧によって液晶セルが配向されて光を透過させる。一方、同一のタイミングでメガネ装置２００のシャッタグラス駆動部（図示せず）は、第２シャッタグラス部に電圧を印加せず、液晶セルは散っている光を散乱させたり遮蔽させる。３Ｄコンテンツの右眼映像フレームがディスプレイされる場合、その反対の動作が行われる。
【０１５２】
入力部２４０は、ユーザ命令を入力される構成として、モード切り替え命令や視聴環境設定命令を伝送することができる構成である。
【０１５３】
図２３は、上述の実施形態で言及したボタン２４１を含むメガネ装置２００’を示している。図２３のように、一つのボタン２４１を備える場合、ボタン２４１を長押しし、モード切り替え画面や、視聴環境設定画面を映像ディスプレイ装置１００のディスプレイ部にディスプレイすることができる。メニューがディスプレイされた後、ボタン２４１を短く押す場合、メニューアイテムをトグルして選択するアイテムを映像ディスプレイ装置１００のディスプレイ部にハイライトさせて表示し、ハイライトされた状態で、ボタン２４１を再び長押しして当該アイテムを選択する動作を行うことができる。
【０１５４】
図２４は、本発明の更に別の実施形態として、スイッチ２４２を備えたメガネ装置”を示している。スイッチ２４２を操作することで、モード切り替えを行うことができ、この場合、別途のメニュー画面をディスプレイする必要がないため、簡単な操作のメリットとなる。
【０１５５】
以上のような実施形態によると、本発明に係る映像ディスプレイ装置１００は、上述の２Ｄシングルビューモード、２Ｄマルチビューモード、３Ｄシングルビューモード及び３Ｄマルチビューモードに応じて、複数のユーザに２Ｄコンテンツまたは３Ｄコンテンツを提供することができ、各モードの間で切り替えを行い、ユーザの望むコンテンツを視聴することができるようにする。このとき、他のユーザに影響を及ぼす場合、同意可否を問うメッセージを表示し、同意可否に応じてモード切り替えを変化させることで、複数のユーザの多様なコンテンツ視聴の便宜性を向上することができるようになる。
【０１５６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１５７】
１００  映像ディスプレイ装置
１１０−１、１１０−２、１１０−ｎ  受信部
１２０、１２０−１、１２０−２、１２０−ｎ  信号処理部
１２１−１  ビデオ処理部
１２２−１  フレームレート変換部
１３０  出力部
１４０  同期化信号生成部
１５０  インターフェース部
１６０  制御部
２００−１  メガネ装置１
２００−２  メガネ装置２
２１０  通信インターフェース部
２２０  制御部
２４０  入力部
２４１  ボタン
２４２  スイッチ
２５０  第１シャッタグラス部
２６０  第２シャッタグラス部
３００  リモコン
【図１】
2014017820.tif 000003
【図２】
2014017820.tif 000004
【図３】
2014017820.tif 000005
【図４】
2014017820.tif 000006
【図５】
2014017820.tif 000007
【図６】
2014017820.tif 000008
【図７】
2014017820.tif 000009
【図８】
2014017820.tif 000010
【図９】
2014017820.tif 000011
【図１０】
2014017820.tif 000012
【図１１】
2014017820.tif 000013
【図１２】
2014017820.tif 000014
【図１３】
2014017820.tif 000015
【図１４】
2014017820.tif 000016
【図１５】
2014017820.tif 000017
【図１６】
2014017820.tif 000018
【図１７】
2014017820.tif 000019
【図１８】
2014017820.tif 000020
【図１９】
2014017820.tif 000021
【図２０】
2014017820.tif 000022
【図２１】
2014017820.tif 000023
【図２２】
2014017820.tif 000024
【図２３】
2014017820.tif 000025
【図２４】
2014017820.tif 000026